(57)【要約】【課題】  景品を収納した包装紙や包装容器を飲料缶の上面に嵌着するキャップにワンタッチで着脱できる。【解決手段】飲料缶Ａの上面に嵌着するキャップ１である。外周壁面４の一部に突出部５を設ける。突出部５に上下を貫通する孔部６を穿設すると共に、その孔部６に景品１０が収納された包装袋１１や包装容器１２を着脱する取付け具７を設ける。【選択図】        図４
2005145531.tif 000002
【特許請求の範囲】
【請求項１】
飲料缶の上面に嵌着するキャップであって、外周壁面の一部に突出部を設け、その突出部に上下を貫通する孔部を穿設すると共に、その孔部内に景品が収納された包装袋や包装容器を着脱する取付け具を設けたことを特徴とする飲料缶用キャップ。
【請求項２】
取付け具は逆Ｌ字状に形成された弾性材である請求項１に記載の飲料缶用キャップ。
【請求項３】
外周壁面の一端部に垂下する舌片を一体的に設け、その舌片でプルトップリングを引き起こすように構成されている請求項１または請求項２に記載の飲料缶用キャップ。
【発明の詳細な説明】
【技術分野】
【０００１】
本発明は、飲料缶の上面に嵌着するキャップに関するもので、さらに詳しくは、飲料缶の販売促進に役立つ景品が収納された包装袋や包装容器をキャップに着脱自在とした飲料缶用キャップに関するものである。
【背景技術】
【０００２】
清涼飲料水、ジュース、コーヒー、お茶などの入った飲料缶は飲料メーカー各社から販売されていて多くの種類があり、個人の好みによる好き嫌いはあるが、本質的な清涼性および味などにおいては各社の製品とも大差がなく、他社製品との差異をアッピールしても販売増進につながらないのが現状である。
【０００３】
そのため、景品を付けるサービスなどにより販売を伸ばすことが行われている。例えば、販売促進キャンペーン期間等においては、点数シールを飲料缶に貼着し、その点数シールを応募ハガキに貼付して応募し、抽選で商品や賞金が当るということが行われている。この場合、ハガキで応募しなければならない煩わしさがあるばかりでなく、商品の購入から当選発表までの日数が比較的長く、かつ商品の発送を以って当選となっているのが通例であるため、相当長い日数を経過しなければ当落が分からないので購買意欲がわかなかった。
【０００４】
また、別の販売促進の方法として、景品を飲料缶に直接付けて販売することもある。この景品付き飲料缶は、飲料缶の上部周縁から僅かに窪んでいる天板の凹部や底板の凹部に景品を配置し、三叉形状や十字形状あるいは円形状に形成された底の浅い保持片で景品を保持している。（特許文献１参照）あるいは、蓋材と身材とからなる円筒形状容器の前記身材の底部に設けられた脚部を飲料缶の上部巻き締め縁に係合し、円筒形状容器内に景品を封入すると共に、飲料缶と円筒形状容器を熱収縮フイルムでシュリンク包装されたものがある。（特許文献２参照）
【０００５】
【特許文献１】特開平１０−２５０７４２号公報（第２頁、図３、４図）
【特許文献２】特開平１０−３０５８４５１号公報（第２頁、図２図）
【発明の開示】
【発明が解決しようとする課題】
【０００６】
しかしながら、前記の特許文献１は、景品が飲料缶の上部周縁から僅かに窪んでいる天板の凹部や底板の凹部に納まる大きさのものに限られる。すなわち、凹部から突出するような厚さの厚い立体的なものは適さず、厚さの薄い平面的な特定の景品に限られており、購買意欲をそそるものではなかった。また、景品を凹部に納めてから保持部を飲料缶の上面に嵌着させるので、景品が動いたりして邪魔することがあり嵌着作業に手間がかかった。また、景品を取り出す時には、保持部の係止片と巻き締め縁と密着係合しているため、非力な子供や老人ではその取り出しに大変苦労をすると言った問題点があった。
【０００７】
また、特許文献２は、身材の底部の脚部と飲料缶の巻き締め縁との係合作業時に、身材を垂直に被せなければ係合しないばかりでなく、蓋材とも係合しなければならず嵌着作業に時間がかかった。さらに、飲料缶と円筒形状容器を熱収縮フイルムでシュリンク包装して一体化するので、包装作業の工程が増えることになり、コストアップと共に生産効率が悪くなると言った問題点があった。
【０００８】
本発明は、上記の問題を解決することを課題として研究開発されたもので、景品を収納した包装袋や包装容器を飲料缶に嵌着するキャップにワンタッチで着脱できる飲料缶用キャップを提供することを目的とするものである。
【課題を解決するための手段】
【０００９】
上記の課題を解決し、その目的を達成する手段として、本発明は、飲料缶の上面に嵌着するキャップであって、外周壁面の一部に突出部を設け、その突出部に上下を貫通する孔部を穿設すると共に、その孔部内に景品が収納された包装袋や包装容器を着脱する取付け具を設けたことを特徴とする飲料缶用キャップを開発し、採用した。
【００１０】
また、上記のように構成した本発明の飲料缶用キャップにおいて、取付け具は逆Ｌ字状に形成された弾性材である飲料缶用キャップ、および外周壁面の一端部に垂下する舌片を一体的に設け、その舌片でプルトップリングを引き起こすように構成されている飲料缶用キャップを開発し、採用した。
【発明の効果】
【００１１】
本発明の請求項１記載の発明は、飲料缶の上面に嵌着するキャップであって、外周壁面の一部に突出部を設け、その突出部に上下を貫通する孔部を穿設すると共に、その孔部内に景品が収納された包装袋や包装容器を着脱する取付け具を設けたことを特徴とする飲料缶用キャップに係るものであるから、景品が収納された包装袋や包装容器をワンタッチでキャップに着脱でき、容易に景品付き飲料缶を得ることができる。また、景品が収納された包装袋や包装容器を取付ける取付け具が孔部内にあって突出部に隠れて保護されることから、他物との接触などによる損傷や外れることがない。さらに、景品は包装袋や包装容器内に収納されることから、薄い平面的なものは勿論の事、厚みのある立体的な景品や長い紐状など多商品を収納でき、その景品は包装袋や包装容器で完全に被覆されているので傷めることがない。
【００１２】
また、請求項２に記載の発明は、景品が収納された包装袋や包装容器を取付ける取付け具は、逆Ｌ字状の弾性材で形成されているから、請求項１に記載の効果に加えて、包装袋のヘッダー部のように薄いものから包装容器のヘッダー部のように厚いものまで容易に取付けることができる。
【００１３】
さらに、請求項３に記載の発明は、外方突出部の反対側の外周壁面に垂下する舌片を一体的に設け、その舌片でプルトップリングを引き起こすことができるから、前記請求項１および２記載の効果に加えて、非力な子供、老人でも簡単に飲み口を開口できると共に、爪を伸ばしている女性でも爪を損傷することがない。
【発明を実施するための最良の形態】
【００１４】
以下に本発明の実施の形態を添付図面に基づいて説明すれば、１は飲料缶の上面に嵌着するポリエチレンなどの柔軟な合成樹脂製の円形状のキャップで、天板２に大きな開口部３を開けてあると共に、天板２の周縁に下方に向けて比較的短い垂直な周壁面４を一体的に周設してある。
【００１５】
５は一側面の周壁面４から外方に突出する突出部で、天板２と面一の高さに形成してあり、その突出部５には上下を貫通する縦長の孔部６を穿設してある。７はその孔部６内に存在する取付け具で、一側面の周壁面４の底部から水平に延びる底板７ａと、その底板７ａから起立して上方になるにつれて外方に拡がる側板７ｂからなる逆Ｌ字状に形成されていて弾力性を有している。側板７ｂの上端部と突出部５の内側面５ａは後述の包装袋１１や包装容器１２のヘッダー部１１ａ，１２ａが挿入できる隙間が開いてある。
【００１６】
８は突出部５の反対側の周壁面４に一体的に下方に垂設した舌片で、飲料缶ＡのプルトップリングＢを引き起こすためのものである。９は周壁面４の下端部内面の４箇所に設けた係止突起である。
【００１７】
このように構成した本発明の使用状態を作用、効果と共に説明すれば、飲料缶Ａの上面にキャップ１を嵌着する。この時、従来のように、天板の凹部に景品がないことからキャップ１を簡単に嵌めることができる。飲料缶Ａにキャップ１が嵌着されることから、流通搬送時などにおける人の手による接触汚れや雑菌の付着を防止でき、飲料時における口の当る部分が被覆されていて衛生的である。
【００１８】
飲料缶Ａにキャップ１が嵌着されると、例えば、ミニチャアカー、小文具品、キーホルダーなどの小物商品あるいは従来収納できなかったストラップのような長い紐状品など適宜の景品１０が収納された包装袋１１や包装容器１２をキャップ１に取付ける。
【００１９】
すなわち、適宜の景品１０が収納された包装袋１1を、図５Ａに示すように、突出部５の下面から孔部６に入れ、ヘッダー部１１ａを突出部５の内側面５ａと取付け具７の側板７ｂとの間に差し込んでいくと図５Ｂに示すように、ヘッダー部１１ａに穿設した孔１１ｂが側板７ｂの上端部に達し、その孔１１ｂを側板７ｂに引っ掛け、図５Ｃに示すように、孔１１ｂが取付け具7の底板７ａに係止して取付けられるものである。
【００２０】
景品１０を入れるのは包装袋１１だけでなく、例えば、図６Ａ、図６Ｂに示すような蓋体と本体からなる丈夫な合成樹脂成型容器１２を用いることにより、損傷し易いあるいは変形したら困る景品などを収納することができる。この包装容器１２の場合もヘッダー部１２ａに取付け具7に取付けるための孔１２ｂが穿設されているのは包装袋１１の場合と同じである。しかし、包装袋１１のヘッダー部１１ａと比べると分厚くなるが、突出部５の内側面５ａと取付け具７の側板７ｂとの間に差し込むと、側板７ｂは弾力性を有しているので、先端部が内方に曲がりヘッダー部１２ａが差し込め、ヘッダー部１２ａに穿設した孔１２ｂが取付け具７に取付けられるのは包装袋の場合と同じである。
【００２１】
取付け具７に取付けられている景品１０を収納した包装袋１１や包装容器１２を外すには、包装袋１１や包装容器１２の下部を押し上げれば孔１１ｂ，１２ｂが取付け具７との係止が解かれて外すことができる。この着脱操作がワンタッチで行うことができ、飲料缶に景品を取付けるのが非常に簡単にできる。
【００２２】
また、景品１０が収納された包装袋１１や包装容器１２を取付ける取付け具７は、孔部６内にあって突出部５によって隠れていることから、その取付け具７に引っ掛ける包装袋１１や包装容器１２の孔１１ｂ，１２bも隠れていて、輸送中など他物と接触することがないので、その孔１１ｂ，１２bが損傷することがないので、包装袋１１や包装容器１２が妄りに外れることがない。
【００２３】
また、景品１０は従来のように、キャップの中にあって見えないのでなく、飲料缶Ａの表側にあることから、包装袋１１や包装容器１２を透明のものにすれば、景品が確認でき、購買者の欲しい物であれば買うことになり、販売の増進につながるものである。反対に包装袋１１や包装容器１２を不透明のものにすれば、何の種類が入っているかの楽しみもあり、種類を集めたくなるため、より一層の購買心を持つことになり販売促進に寄与する。また、飲料缶Ａの側面に取付けられることから、従来不可能とされていた長い品物でも景品として付けることができると共に、陳列棚などに置いて販売するのに好都合である。
【００２４】
さらに、キヤップ１には外周壁面４の一端部に下方に垂設する舌片８が一体的設けてあるから、図７Ａに示すように、舌片８の先端部をプルトップリングBと蓋面Ｃとのの間に差し込み、図７Ｂに示すように、キャップ１を押し下げれば梃子の作用で舌片８がプルトップリングＢを引き起こし、その後、指で引っ張れば開口することになり、力のない子供、老人等でも簡単に開口できるばかりでなく、おしゃれで爪を伸ばしている若い女性などは爪を折ることなく開口できる。  
【００２５】
なお、前記実施の形態においては、キャップ１の天板２に開口部３を設けたもので説明したが、天板に開口部を設けないキャップを用いることもあり、要するに、発明の目的を達成でき、且つ発明の要旨を逸脱しない範囲内で種々の設計変更が可能であることは当然である。
【産業上の利用可能性】
【００２６】
以上のように、清涼飲料水、ジュース、コーヒー、お茶などの飲料缶の上面に嵌着するキャップとして、また、景品の取り付け具として有用である。
【図面の簡単な説明】
【００２７】
【図１】キャップの平面図である。
【図２】キャップの底面図である。
【図３】図１のＡ−Ａ線縦断面図である。
【図４】キャップと景品を収納した包装袋との分解斜視図である。
【図５Ａ】景品を収納した包装袋のヘッダー部を突出部の内側面と取付け具の側板との間に差し込んだ状態の簡略縦断面図である。
【図５Ｂ】ヘッダー部の孔が側板の位置に達した状態の簡略縦断面図である。
【図５Ｃ】ヘッダー部の孔が底板に係止した状態の簡略縦断面図である。
【図６Ａ】合成樹脂製包装容器の開蓋状態の斜視図である。
【図６Ｂ】合成樹脂製包装容器の斜視図である。
【図７Ａ】舌片をプルトップリングの下に入れた状態の簡略縦断面図である。
【図７Ｂ】舌片がプルトップリングを引き起こす状態の簡略縦断面図である。
【符号の説明】
【００２８】
１  キャップ
４  外周壁面
５  突出部
６  孔部
７  取付け具
８  舌片
Ａ  飲料缶
Ｂ  プルトップリング
【図１】
2005145531.tif 000003
【図２】
2005145531.tif 000004
【図３】
2005145531.tif 000005
【図４】
2005145531.tif 000006
【図５Ａ】
2005145531.tif 000007
【図５Ｂ】
2005145531.tif 000008
【図５Ｃ】
2005145531.tif 000009
【図６Ａ】
2005145531.tif 000010
【図６Ｂ】
2005145531.tif 000011
【図７Ａ】
2005145531.tif 000012
【図７Ｂ】
2005145531.tif 000013